(57)【要約】    【課題】  あらゆる規格のベッドに適応可能で、安価に製造することができる落下予防装置を提供する。    【解決手段】  使用者の落下を予防するサポート部本体２１の側面に、このサポート部本体２１をベッドに取り付ける取り付け部材である差し込み用パイプ又はブラケットを固定し、更に、その上に洗濯可能な布地の裏面に発泡性ウレタン樹脂成形体を貼り付けたカバーを脱着自在に被せる。このサポート部本体２１には、ブロー成形により成形され、上部に一方の長辺を除く３辺が側壁で囲まれた平坦部が設けられた中空状の樹脂成形体を使用する。そして、側壁が設けられていない側をベッド側に向け、平坦部とマットレスの上面とを同じ高さにし、マットレスと落下防止予防装置との間に隙間が生じないようにして、ベッドのサイドフレーム６又はボトム１５に取り付ける。【選択図】    図８
2005087412.tif 000002
【特許請求の範囲】
【請求項１】
ベッドに取り付けられ使用者が落下することを予防する落下予防装置において、ベッド上に設置されたマットレスの上面より突出し一方の側面が前記マットレスの長手方向と平行な側面に接触するように配置されるサポート部本体と、このサポート部本体に脱着自在に取り付けられ前記サポート部本体を前記ベッドに取り付ける取り付け部材と、を有し、前記サポート部本体はブロー成形法により形成された中空状の樹脂成形体であることを特徴とする落下予防装置。
【請求項２】
前記取り付け部材はパイプ状部材であり、前記パイプ状部材を前記ベッドのフレームに設けられた孔に差し込むことにより、前記フレームに取り付けられることを特徴とする請求項１に記載の落下予防装置。
【請求項３】
前記パイプ状部材は、その下端部に他のパイプ状部材又は円柱状部材を連結できることを特徴とする請求項２に記載の落下予防装置。
【請求項４】
前記取り付け部材は、前記サポート部本体と前記ベッドのボトムとを連結する連結部材と、中央部に前記ボトムに設けられている隙間に嵌合する凸部が形成された固定用部材と、前記固定用部材と前記連結部材とを連結するねじと、を有し、前記連結部材と前記固定用部材とで前記ボトムを挟み込むことにより前記ボトムに固定されることを特徴とする請求項１に記載の落下予防装置。
【請求項５】
前記連結部材を前記サポート部本体に取り付ける位置は、前記サポート部本体の高さ方向に変更可能であることを特徴とする請求項４に記載の落下予防装置。
【請求項６】
前記サポート部本体の上部には握持するグリップが設けられていることを特徴とする請求項１又は５のいずれか１項に記載の落下予防装置。
【請求項７】
前記サポート部本体は、表地が洗濯可能な布であり、その裏面に発泡性樹脂の成形体が接合されているカバーで覆われており、前記カバーは脱着自在であることを特徴とする請求項１乃至６のいずれか１項に記載の落下予防装置。
【請求項８】
前記カバーの表側には、収納部が設けられていることを特徴とする請求項７に記載の落下予防装置。
【発明の詳細な説明】
【技術分野】
【０００１】
本発明は、本発明はベッドに取り付けられる落下予防装置に関し、特に、側柵より高さが低く、ブロック状の落下予防装置に関する。
【背景技術】
【０００２】
一般に、病院等で使用される介護用ベッドには、使用者がベッドから落下することを予防するため、両サイドに金属等で形成された柵（以下、サイドレールという）が取り付けられている。しかしながら、このような従来の落下予防装置は、使用者の身体より高い位置まで設けられているため使用者に圧迫感を与えると共に、使用者の落下予防しか考慮されていないという問題がある。
【０００３】
そこで、ポリエステル繊維等の芯材を表地で覆ったブロック状のソフトパッドである落下予防装置（以下、サイドサポートという）が提案されている（例えば、特許文献１乃至７参照。）。このサイドサポートは、高さをサイドレール等の従来の落下予防装置より低くし、使用者が寝返りをしたときに落下しないように支えることができる最低限の高さにしているため、使用者に圧迫感を与えずに落下を予防することができる。また、このサイドサポートは、通常、ベッドのサイドフレーム又はボトムに取り付けられるが、その側面がマットレスの長手方向と平行な側面に接するように配置されるため、使用者の寝返り等によるマットレスのずれを防止することができる。
【０００４】
【特許文献１】特開２００２−２００１２３号公報  （第２−３頁、第１−２図）
【特許文献２】特開２００２−３５５１４８号公報  （第２−３頁、第１−２図）
【特許文献３】特開２００３−６１７８３号公報  （第３−６頁、第５−１０図）
【特許文献４】特開２００３−６２０１８号公報  （第３−４頁、第３図）
【特許文献５】特開２００３−３３２５５号公報  （第３−４頁、第１−８図）
【特許文献６】特開２００３−３８３０２号公報  （第３−５頁、第１−１０図）
【特許文献７】特開２００３−５２７６６号公報  （第３−５頁、第１−１２図）
【発明の開示】
【発明が解決しようとする課題】
【０００５】
しかしながら、前述の従来の技術には以下に示す問題点がある。サイドサポートは、高さが低いため、その上に使用者が座ることが想定される。そこで、従来のサイドサポートは、フレームの剛性を確保するために、スチール製のパイプ等で形成された支柱部材とこの支柱部材と一体で成形された枠部材とを骨組みとし、それらを、例えば、発泡性ウレタン樹脂又はポリエステル繊維等の芯材で覆い、更にこの芯材の上に表地を被せた構造になっている。このように、従来のサイドサポートは構造が複雑であるため、コストが高いという問題点がある。
【０００６】
また、従来のサイドサポートは、表地と芯材とが一体化されているため、表地が汚れたり又は傷ついたりした場合でも、洗濯及び交換等を行うことができず、レンタルのように繰り返し使用する用途には不向きであるという問題点もある。更に、従来のサイドサポートは、厚さが異なるマットレスには対応することができず、適合するマットレスが限定されるという問題点もある。
【０００７】
本発明はかかる問題点に鑑みてなされたものであって、あらゆる規格のベッドに適応可能で、安価に製造することができる落下予防装置を提供することを目的とする。
【課題を解決するための手段】
【０００８】
本発明に係る落下予防装置は、ベッドに取り付けられ使用者が落下することを予防する落下予防装置において、ベッド上に設置されたマットレスの上面より突出し一方の側面が前記マットレスの長手方向と平行な側面に接触するように配置されるサポート部本体と、このサポート部本体に脱着自在に取り付けられ前記サポート部本体を前記ベッドに取り付ける取り付け部材と、を有し、前記サポート部本体はブロー成形法により形成された中空状の樹脂成形体であることを特徴とする。
【０００９】
本発明においては、サポート部本体を樹脂製のブロー成形品にすることにより、構成部品の共通化及び簡素化が図れ、製造コストを低減することができる。また、脱着自在の取り付け部材によりベッドに取り付けられるため、ベッドの種類及び用途に応じてその取り付け方法を選択することができる。
【００１０】
前記取り付け部材がパイプ状部材である場合、前記落下予防装置は、前記パイプ状部材を前記ベッドのフレームに設けられた孔に差し込むことにより、前記フレームに取り付けられる。このとき、前記パイプ状部材は、その下端部に他のパイプ状部材又は円柱状部材を連結することができる。これにより、落下予防装置の取り付け及び高さの調節が容易になる。
【００１１】
又は、前記取り付け部材が、前記サポート部本体と前記ベッドのボトムとを連結する連結部材と、中央部に前記ボトムに設けられている隙間に嵌合する凸部が形成された固定用部材と、前記固定用部材と前記連結部材とを連結するねじと、を有する場合、前記落下予防装置は、前記連結部材と前記固定用部材とで前記ボトムを挟み込むことにより前記ボトムに固定される。このとき、前記連結部材を前記サポート部本体に取り付ける位置は、前記サポート部本体の高さ方向に変更することができる。これにより、ギャッチベッド等のようにボトムが起きあがるベッドにも適用することができると共に、取り付け高さの調節が容易になる。
【００１２】
また、前記サポート部本体の上部には握持するグリップが設けられていてもよい。これにより、使用者がベッド上で寝返りする際及び起きあがる際に掴まることができるため、姿勢保持がしやすくなり、使用者の利便性が向上する。
【００１３】
更に、前記サポート部本体は、表地が洗濯可能な布であり、その裏面に発泡性樹脂の成形体が接合されているカバーで覆われており、前記カバーは脱着自在であることが好ましい。これにより、表地のメンテナンスが容易になり、レンタルにも使用することができる。更にまた、前記カバーの表側には、収納部を設けてもよい。この収納部に、例えば、ギャッチベッドの手元スイッチ等の小物類を入れておくことにより、使用者の利便性が向上する。
【発明の効果】
【００１４】
本発明によれば、サポート部本体を樹脂製のブロー成形品にすることにより、構成部品の共通化及び簡素化が図れるため、安価に製造することができると共に、取り付け部材を変更することにより、取り付け場所及び取り付け高さを調節することができるため、あらゆる規格のベッドに適用可能になる。
【発明を実施するための最良の形態】
【００１５】
以下、本発明の第１実施形態に係る落下予防装置について、添付の図面を参照して具体的に説明する。図１（ａ）は本発明の第１実施形態の落下予防装置を示す斜視図であり、図１（ｂ）はその分解斜視図である。図１（ａ）及び（ｂ）に示すように、本発明の第１実施形態の落下予防装置は、使用者の落下を予防するサポート部本体１の側面に、このサポート部本体１をベッドに取り付ける取り付け部材である差し込み用パイプ２がねじ３により固定されており、サポート部本体１にはカバー（図示せず）が脱着自在に被せられている。
【００１６】
本実施形態の落下予防装置におけるサポート部本体１は、例えば、ポリプロピレン等の樹脂を使用してブロー成形法により成形された中空状の樹脂成形体であり、下方になるに従い幅が狭くなるように配置された略三角柱状の基部１ａと、この基部１ａの上面の一方の長辺を除く３辺に設けられた側壁１ｂとで構成されている。即ち、サポート部本体１の上部には、一方の長辺を除く３辺が側壁１ｂで囲まれた平坦部１ｃが形成されている。本実施形態の落下予防装置は、側壁１ｂが設けられていない側をベッド側に向けて、平坦部１ｃとマットレスの上面とを同じ高さにし、マットレスと落下防止予防装置との間に隙間が生じないようにしてベッドに取り付けられる。これにより、平坦部１ｃの分だけマットレスの幅が広くなるため、使用者に圧迫感を与えずに、ベッドサイドに落下予防装置を設けることができる。
【００１７】
また、サポート部本体１の側壁１ｂが設けられていない側の側面には、相互に平行で、平坦部１ｃに対して垂直方向に、前記サポート部本体１の下端まで延びる１対の凹部１ｄが形成されており、この凹部１ｄには、凹部１ｄの長さより長い金属製の差し込み用パイプ２がねじ３により固定されている。本実施形態の落下予防装置においては、凹部１ｄの深さが、差し込み用パイプ２及びねじ３が突出しない程度になっているため、凹部１ｄに差し込み用パイプ２をねじ留めしてもサポート部本体１の側面からねじ３が突出せず、落下予防装置をベッドに取り付けた際に、マットレスとサポート部本体１とを密着させることができる。
【００１８】
更に、本実施形態の落下予防装置におけるカバーは、例えば、ポリエステル等のように洗濯が可能な布地の裏側に、発泡性ウレタン及び発泡性ポリプロピレン等の発泡性樹脂の成形体が接合されている。そして、その開口部には、開閉自在にするために、ファスナー、ホック又はマジックテープ等が取り付けられている。一方、カバーの表側には、ギャッチベッドのスイッチ又は眼鏡等の小物を収納することができる収納部が設けられている。
【００１９】
なお、本実施形態の落下予防装置における差し込み用パイプ２は、必要に応じてその長さを長くすることができる。図２（ａ）乃至（ｃ）は本実施形態の落下予防装置における差し込みパイプの長さ調整方法を示す側面図である。図２（ａ）に示すように、本実施形態の落下予防装置における差し込み用パイプ２の下端部には、雌ねじが形成されたキャップ４が挿入されている。そして、落下予防装置の取り付け高さを高くしたい場合は、図２（ｂ）に示すように、差し込み用パイプ２と外径が等しく、一方の端部にキャップ４の雌ねじに延長アダプタ５に形成されている雄ねじを螺入する。これにより、差し込み用パイプ２の長さを、延長アダプタ５の長さの分だけ長くすることができる。
【００２０】
次に、本実施形態の落下予防装置をベッドへ取り付ける方法について説明する。図３は本実施形態の落下予防装置をベッドに取り付けた状態を示す斜視図である。図３に示すように、本実施形態の落下予防装置は、側壁１ｂが設けられていない側をベッド側に向け、ベッドのサイドフレーム６に設けられた孔に、差し込み用パイプ２を挿入する。このとき、平坦部１ｃとマットレスの上面とが同じ高さになるように、延長アダプタ５により差し込み用パイプ２の長さを調節しておき、マットレスと落下防止予防装置との間に隙間が生じないようにする。なお、落下予防装置を抜けにくくするために、差し込み用パイプ２をサイドフレーム６にねじ留めしてもよい。
【００２１】
上述したように、本実施形態の落下予防装置は、サポート部本体がブロー成形法で成形された中空状の樹脂成形体であるため、軽量化及び高強度化を実現できると共に、構成部品の共通化及び簡素化が図れるため、製造コストを低減することができる。また、ベッドへの取り付け高さを調節することができるため、厚さが異なるマットレスにも対応可能であり、更に、カバーを取り外して交換又は洗濯することができるので、レンタルとしても使用可能である。
【００２２】
なお、前述の第１実施形態の落下予防装置においては、取り付け部材として差し込み用パイプ２を使用する場合について述べたが、本発明の落下予防装置はこれに限定されるものではなく、略Ｌ字型の金属製ブラケットを使用してベッドのボトムに取り付けることもできる。次に、本発明の第２実施形態に係る落下予防装置として、ボトム取り付け型の落下予防装置について説明する。図４（ａ）は本発明の第２実施形態の落下予防装置を示す斜視図であり、図４（ｂ）はその分解斜視図である。図４（ａ）及び（ｂ）に示すように、本実施形態の落下予防装置は、サポート部本体１１の側壁１１ｂが形成されていない側の側面に、差し込みパイプ２を固定するための凹部ではなく、ブラケット１２を固定するための凹部１１ｅが形成されている。なお、この凹部１１ｅ以外の形状及び成形方法は前述の第１実施形態におけるサポート部本体１と同様である。
【００２３】
本実施形態の落下予防装置は、使用者の落下を予防するサポート部本体１１に、このサポート部本体１１をベッドのボトムに連結する連結部材であるＬ字型のブラケット１２が固定されており、更に、ブラケット１２をボトムに固定する固定用部材である固定金具１３が、蝶ねじ１４によりブラケット１２に連結されている。このように、本実施形態の落下予防装置においては、取り付け部材として、ブラケット１２、固定金具１３及び蝶ねじ１４を使用している。
【００２４】
本実施形態の落下予防装置におけるサポート部本体１１は、前述の第１実施形態と同様に、ブロー成形により成形された中空状の樹脂成形体であり、その上部には一方の長辺を除く３辺が側壁１１ｂで囲まれた平坦部１１ｃが形成されている。また、本実施形態の落下予防装置における凹部１１ｅは、ブラケット１２の厚さと同等の深さであり、この凹部１１ｅには、ブラケット１２のサポート部取付部１２ｂが嵌め込まれ、ねじ１６によりサポート部本体１１に固定されている。これにより、サポート部本体１１のベッド側の側面を平坦にすることができるため、落下予防装置をベッドに取り付けた際に、マットレスとサポート部本体１１とを密着させることができる。
【００２５】
また、ブラケット１２のボトム取付部１２ａには、蝶ねじ１４が挿入される孔が設けられており、このボトム取付部１２ａはその上に配置されるマットレスに影響を与えないように、凹凸が少なく、ボトムの形状と略等しい形状になっている。更に、本実施形態の落下予防装置における固定金具１３は、中央部にボトムの隙間に嵌合する凸部が形成されおり、この凸部に蝶ねじ１４が螺合するねじ孔（雌ねじ）が形成されている。
【００２６】
更に、本実施形態の落下予防装置におけるブラケット１２は、必要に応じてその取り付け位置を変更することができる。図５（ａ）及び（ｂ）は本実施形態の落下予防装置におけるブラケットの取り付け位置を示す側面図である。本実施形態の落下予防装置においては、サポート部本体１１の凹部１１ｅに、ねじ１６が螺合するねじ孔（雌ねじ）が、サポート部本体１１の高さ方向に３個並んだ列が、サポート部本体１１の長さ方向に２列形成されている。そして、ブラケット１２のサポート部取付部１２ｂには、ねじ１６が挿入される孔が２個並んだ列が２列形成されている。そこで、図５（ａ）に示すように、凹部１１ｅに形成された３個のねじ孔のうち上方の２個のねじ孔にブラケット１２をねじ留めした場合より、図５（ｂ）に示すように、下方の２個のねじ孔にブラケット１２をねじ留めした場合の方が、落下予防装置の取り付け位置は高くなる。このように、本実施形態の落下予防装置においては、ブラケット１２の取り付け位置をサポート部本体１１の高さ方向に変更することにより、落下予防装置の取り付け高さを調節することができる。
【００２７】
次に、本実施形態の落下予防装置の取り付け方法を説明する。図６は本実施形態の落下予防装置がベッドに取り付けられた状態を示す斜視図である。本実施形態の落下予防装置においては、先ず、サポート部本体１１に取り付けられたブラケット１２の孔に蝶ねじ１４を挿入し、ブラケット１２の下面側に固定金具１３を配置して、蝶ねじ１４により仮留めする。次に、この落下予防装置をベッドの所定の位置、例えば、使用者の頭側及び足側の両サイドに配置する。このとき、ブラケット１２のボトム取付部１２ａはボトム１５のマットレス側の面に配置する。そして、図６に示されるように、ボトム１５の隙間を通して固定金具１３をボトム１５の床側の面に配置する。その後、固定金具１３をボトム１５の隙間から抜けないように９０°回転させて、蝶ねじ１４を締めつける。これにより、固定金具１３の凸部がボトム１５の隙間に嵌合し、ボトム１５は固定金具１３とブラケット１２とで挟み込まれ、ブラケット１２がボトム１５に固定される。本実施形態の落下予防装置においては、固定金具１３の凸部がボトム１５の隙間に嵌合する形状であり、蝶ねじ１４を締めつけるだけで、固定金具１３を所定の位置に配置することができるため、作業者が精密な位置決めを行う必要がなく、ベッドへの取り付けが容易である。
【００２８】
なお、本実施形態においては、ボトム１５のマットレス側の面側から蝶ねじ１４を締めつける方法について述べたが、本発明はこれに限定されるものではなく、例えば、蝶ねじ１４の代わりにボルトと蝶ナットを使用することにより、ベッドのボトム１５を起こした状態で、サポート部本体１１に取り付けられたブラケット１２をボトム１５に取り付けることもできる。その場合、先ず、サポート部本体１１に取り付けられたブラケット１２のボトム取付部１２ａの凹部に設けられた孔に、ボルトを挿通し、このボルトをナットによりブラケット１２に固定する。次に、固定金具１３に設けられた孔にボルトを挿通し、蝶ナットにより固定金具１３をブラケット１２に仮留めする。次に、ブラケット１２をボトム１５のマットレス側の面に配置し、固定金具１３及び蝶ナットをボトム１５の隙間を通して床側の面側に配置する。そして、固定金具１３を９０°回転させた後、ボトム１５の床側の面側から蝶ナットを締めつけて、ブラケット１２をボトム１５に固定する。
【００２９】
このように、本実施形態の落下予防装置は、ボトム１５に取り付けられるため、ギャッチベッドのようにボトムの一部を起こすことができるベッドにおいても、落下を予防する効果が得られ、使用者の安全を確保することができる。また、ベッドの状態に応じて取り付け方法を選択することができると共に、ボトム１５への取り付けが容易である。更に、各落下予防装置は独立しており、ボトムの幅に応じて取り付け位置を調節することができるため、長さ及び幅が異なるベッド、並びに既存のベッドにも取り付けが可能である。更にまた、サポート部本体１１にブラケット１２を取り付ける位置を変更することで、落下予防装置の高さを調節することができるため、マットレスの厚さが異なる場合にも対応することができる。
【００３０】
次に、本発明の第３実施形態に係る落下予防装置について説明する。前述の第１及び第２実施形態においては、サポート部本体の側壁が形成されていない側の側面に、差し込み式パイプ用凹部又はブラケット用凹部のいずれかを形成する場合について述べたが、本発明の落下予防装置においては、これらの両方が形成されていてもよい。図７は本発明の第３実施形態の落下予防装置のサポート部本体を示す斜視図であり、図８は本変形例の落下予防装置をベッドに取り付けた状態を示す斜視図である。なお、図８においては、取り付け状態を比較するため、ベッドの左側はボトムに、右側はフレームに落下予防装置を取り付けている。図７に示すように、本実施形態の落下予防装置におけるサポート部本体２１は、側壁２１ｂが形成されていない側の側面に、差し込みパイプ２を固定するための凹部２１ｄと、ブラケット１２を固定するための凹部２１ｅとが形成されている。なお、この凹部２１ｄ及び凹部２１ｅ以外の形状及び成形方法は前述の第１実施形態におけるサポート部本体１と同様である。
【００３１】
このように、差し込みパイプを固定するための凹部２１ｄ、及びブラケットを固定するための凹部２１ｅの両方を形成することにより、図８に示すように、１つの落下予防装置をサイドフレーム及びボトムのどちらにも取り付け可能になり、あらゆる規格のベッドに適応することができる。その結果、利用者がベッドの種類及び使用方法等に応じて、落下予防装置の取り付け場所及び取り付け方法を選択することができる。
【００３２】
次に、本発明の第４実施形態に係る落下予防装置について説明する。図９（ａ）は本発明の第４の実施形態の落下予防装置におけるサポート部本体を示す斜視図であり、図９（ｂ）は本発明の第４の実施形態の落下予防装置をベッドに取り付けた状態を示す斜視図である。一般に、サイドサポートは、使用者がベッドに乗降する際に邪魔にならず、また使用者の圧迫感を低減するため等の理由から、サイドレール等の従来の落下予防装置に比べて高さが低く設定されている。そのため、サイドレールのように使用者が掴むことができる部位が設けられておらず、ベッド上の使用者が寝返り又は起きあがる際に掴まるものがなかった。
【００３３】
そこで、本実施形態の落下予防装置においては、図９（ａ）に示すように、サポート部本体３１の上部に、使用者が掴まることができるグリップ部３２が設けられている。なお、このグリップ部３２以外の構造及びベッドへの取り付け方法は前述の第３実施形態の落下予防装置と同様である。図９（ｂ）に示すように、本実施形態の落下予防装置を使用者の頭側のサイドに取り付けることにより、ベッド上の使用者が寝返り、起きあがり時及び端座位になる際に掴まることができるため、姿勢を保持しやすくなり、使用者の利便性が向上すると共に使用者の自立を促すことができる。
【００３４】
なお、本実施形態においては、サポート部本体に差し込みパイプ２を固定するための凹部と、ブラケット１２を固定するための凹部とが形成されている場合について述べたが、本発明はこれに限定されるものではなく、サポート部本体には差し込みパイプ２を固定するための凹部又はブラケット１２を固定するための凹部のいずれか一方が形成されていればよい。
【図面の簡単な説明】
【００３５】
【図１】（ａ）は本発明の第１実施形態の落下予防装置を示す斜視図であり、（ｂ）はその分解斜視図である。
【図２】（ａ）乃至（ｃ）は本発明の第１実施形態の落下予防装置における差し込みパイプの長さ調整方法を示す側面図である。
【図３】本発明の第１実施形態の落下予防装置をベッドに取り付けた状態を示す斜視図である。
【図４】（ａ）は本発明の第２実施形態の落下予防装置を示す斜視図であり、（ｂ）はその分解斜視図である。
【図５】（ａ）及び（ｂ）は本発明の第２実施形態の落下予防装置におけるブラケットの取り付け位置を示す側面図である。
【図６】本発明の第２実施形態の落下予防装置をベッドに取り付けた状態を示す斜視図である。
【図７】本発明の第３実施形態の落下予防装置のサポート部本体を示す斜視図である。
【図８】本発明の第３実施形態の落下予防装置をベッドに取り付けた状態を示す斜視図である。
【図９】（ａ）は本発明の第４実施形態の落下予防装置におけるサポート部本体を示す斜視図であり、（ｂ）は本発明の第４実施形態の落下予防装置をベッドに取り付けた状態を示す斜視図である。
【符号の説明】
【００３６】
１、１１、２１、３１：サポート部本体
１ａ、１１ａ、２１ａ、：基部
１ｂ、１１ｂ、２１ｂ、：側壁
１ｃ、１１ｃ、２１ｃ：平坦部
１ｄ、１１ｅ、２１ｄ、２１ｅ：凹部
２：差し込み用パイプ
３、１６：ねじ
４：キャップ
５：延長アダプタ
６：サイドフレーム
１２：ブラケット
１２ａ：ボトム取付部
１２ｂ：サポート部取付部
１３：固定金具
１４：蝶ねじ
１５：ボトム
３２：グリップ部
ｔ：高さ
【図１】
2005087412.tif 000003
【図２】
2005087412.tif 000004
【図３】
2005087412.tif 000005
【図４】
2005087412.tif 000006
【図５】
2005087412.tif 000007
【図６】
2005087412.tif 000008
【図７】
2005087412.tif 000009
【図８】
2005087412.tif 000010
【図９】
2005087412.tif 000011